(57)【要約】【課題】フィルタエレメントを１人で容易に交換可能にすることにある。【解決手段】キャップ１およびケーシング２の一方の開口部２ｂには、その外周面から突出する係止突起２ｄを設け、他方の開口部１ｂには、キャップ１の開口部１ｂとケーシング２の開口部２ｂとが嵌合状態となるまで係止突起２ｄを受け入れる案内溝１ｅを形成するとともに、その嵌合状態においてキャップ１およびケーシング２の少なくとも一方を周方向に回動することにより係止突起２ｄを受け入れてキャップ１およびケーシング２の軸方向の分離を不能とする係止溝１ｆを形成してなる構成になっている。【選択図】　　　図１
2004066194.tif 000002
【特許請求の範囲】
【請求項１】
容器状のキャップおよびケーシングのそれぞれに形成された円筒状の開口部を互いに嵌合して、その嵌合状態の維持、解除を行うことにより、上記ケーシング内に設置されたフィルタエレメントを交換可能に構成してなるフィルタ装置であって、
上記キャップおよび上記ケーシングの一方の開口部には、その外周面から突出する係止突起が設けられ、
上記キャップおよび上記ケーシングの他方の開口部には、上記嵌合の際に上記係止突起を上記嵌合状態となる位置まで受け入れる案内溝が形成されているとともに、上記嵌合状態において上記キャップおよびケーシングの少なくとも一方を周方向に回動することにより上記係止突起を受け入れて上記キャップおよびケーシングの軸方向の分離を不能として上記嵌合状態を維持する係止溝が形成されていることを特徴とするフィルタ装置。
【請求項２】
上記キャップおよび上記ケーシングは、当該ケーシングに位置決めされたフィルタエレメントの一方の側に連通する第１流路を構成するようになっており、
上記キャップ内には、上記フィルタエレメントの他方の側に連通する第２流路の一部を構成する内部流路部材が設けられ、
上記内部流路部材には、上記フィルタエレメント側に開口する第１継手部が設けられ、
上記フィルタエレメントには、当該フィルタエレメントの他方の側に連結され、上記キャップの開口部と上記ケーシングの開口部との嵌合の際に、上記第１継手部に嵌合して、上記第２流路の他の一部を構成する第２継手部が設けられていることを特徴とする請求項１に記載のフィルタ装置。
【請求項３】
上記フィルタエレメントは、円筒状に形成されたものであり、その軸方向の一端部を上記ケーシングの開口部に位置させ、その軸方向の他端部を同ケーシングの内方部に位置させた状態で、上記一端部が上記ケーシングの開口部に位置決め固定手段を介して固定されるようになっており、
上記位置決め固定手段は、上記フィルタエレメントの一端部から半径方向の外側に突出する位地決め凸部と、上記フィルタエレメントを上記ケーシング内に挿入した状態で当該フィルタエレメントを軸回りに回動した際に、上記位地決め凸部を受け入れるべく上記ケーシングの開口部の内周に形成された位地決め溝とを備えていることを特徴とする請求項２に記載のフィルタ装置。
【発明の詳細な説明】
【０００１】
【発明の属する技術分野】
本発明は、フィルタエレメントを交換可能に構成してなるフィルタ装置に関するものである。
【０００２】
【従来の技術】
この種のフィルタ装置としては、例えば図８〜図１０に示すものが知られている。このフィルタ装置は、キャップ１と、ケーシング２と、ケーシング２内に設置されるフィルタエレメント３と、キャップ１内に設けられた内部流路管（内部流路部材）４と、スプリング５とを備えた構成になっている。
【０００３】
キャップ１およびケーシング２は、図８に示すように、それぞれ容器状に形成されており、それぞれの開口部を合わせた状態で連結金具６によって連結されるようになっている。
すなわち、キャップ１の開口部は、図９に示すように、所定の径に拡径された拡径部１ａを有しており、ケーシング２の開口部は、上記拡径部１ａ内に嵌合すべくＵ字状に突出する突条部２ａを有している。
そして、拡径部１ａと突条部２ａとをＯリング１３を介して嵌合した状態で、これら拡径部１ａおよび突条部２ａを連結金具６で連結することにより、その嵌合状態を維持するようになっている。
【０００４】
連結金具６は、図１０に示すように、一端部が回動自在に連結された一対の円弧状部材６ａをボルト６ｂおよびナット６ｃで締め付けることにより、上記拡径部１ａと突条部２ａとを強固に連結してキャップ１とケーシング２との連結を図るようになっている。
【０００５】
また、キャップ１およびケーシング２は、当該ケーシング２内に配置された円筒状のフィルタエレメント３の外周側（一方の側）に連通する流入流路（第１流路）を構成するようになっており、キャップ１の壁部には流体の流入口１１が設けられている。
【０００６】
内部流路管４は、フィルタエレメント３の内周側（他方の側）に連通する流出流路（第２流路）の一部を構成するようになっており、そのフィルタエレメント３側の一端部には当該フィルタエレメント３側に向かって開口する第１継手部４１が設けられている。また、内部流路管４の他端部は、キャップ１の壁部に設けられた流出口１２に連結されている。
【０００７】
フィルタエレメント３の一端部には、当該フィルタエレメント３の内周側に連通し、先端部が第１継手部４１に嵌合する第２継手部３１が設けられている。
第２継手部３１は、上記流出流路の他の一部を構成するようになっている。
【０００８】
スプリング５は、ケーシング２の最奥の底部に配置されており、フィルタエレメント３をキャップ１側に押し出すべく弾性力を作用させることにより、第１継手部４１と第２継手部３１との嵌合状態を維持するようになっている。
【０００９】
上記のように構成されたフィルタ装置においては、連結金具６を取り外すことによって、キャップ１とケーシング２とを軸方向に引き離して分離することができる。
したがって、フィルタエレメント３を交換する際には、まず連結金具６を取り外してキャップ１とケーシング２とを分離した後、キャップ１側の第１継手部４１からフィルタエレメント３を引き抜く。そして、新しいフィルタエレメント３の第２継手部３１をキャップ１側の第１継手部４１に嵌合する。それから、ケーシング２の底部に設けられたスプリング５をフィルタエレメント３の他端部に合わせるようにしながら、ケーシング２をキャップ１側に移動して、当該ケーシング２の突条部２ａをキャップ１の拡径部１ａに嵌合させる。次に、その嵌合部に連結金具６を取り付けてボルト６ｂおよびナット６ｃで締め付けることにより、キャップ１とケーシング２とを嵌合状態に維持する。
これにより、フィルタエレメント３を古いものから新しいものに取り換えることができる。
【００１０】
【発明が解決しようとする課題】
ところが、上記従来のフィルタ装置においては、拡径部１ａと突条部２ａとを嵌合しただけではケーシング２がキャップ１から落下するおそれがあるので、連結金具６を着脱する際には必ずキャップ１とケーシング２とを嵌合した状態に保持しておく必要がある。一方、連結金具６が一対の円弧状部材６ａからなる二つ割りのもので構成されていることから、この連結金具６を上記嵌合部に対して着脱する際には、必ず両手を使う必要がある。
したがって、フィルタエレメント３を交換する際には、上述した嵌合した状態を保持する人と、連結金具６を着脱する人との２人が必要になり、作業能率が悪いという問題があった。
【００１１】
本発明は、上記事情に基づいてなされたものであり、フィルタエレメントを１人で容易に交換することのできるフィルタ装置を提供することを課題としている。
【００１２】
【課題を解決するための手段】
上記課題を解決するため、請求項１に記載の発明は、容器状のキャップおよびケーシングのそれぞれに形成された円筒状の開口部を互いに嵌合して、その嵌合状態の維持、解除を行うことにより、上記ケーシング内に設置されたフィルタエレメントを交換可能に構成してなるフィルタ装置であって、上記キャップおよび上記ケーシングの一方の開口部には、その外周面から突出する係止突起が設けられ、上記キャップおよび上記ケーシングの他方の開口部には、上記嵌合の際に上記係止突起を上記嵌合状態となる位置まで受け入れる案内溝が形成されているとともに、上記嵌合状態において上記キャップおよびケーシングの少なくとも一方を周方向に回動することにより上記係止突起を受け入れて上記キャップおよびケーシングの軸方向の分離を不能として上記嵌合状態を維持する係止溝が形成されていることを特徴としている。
【００１３】
請求項２に記載の発明は、請求項１に記載の発明において、上記キャップおよび上記ケーシングは、当該ケーシングに位置決めされたフィルタエレメントの一方の側に連通する第１流路を構成するようになっており、上記キャップ内には、上記フィルタエレメントの他方の側に連通する第２流路の一部を構成する内部流路部材が設けられ、上記内部流路部材には、上記フィルタエレメント側に開口する第１継手部が設けられ、上記フィルタエレメントには、当該フィルタエレメントの他方の側に連結され、上記キャップの開口部と上記ケーシングの開口部との嵌合の際に、上記第１継手部に嵌合して、上記第２流路の他の一部を構成する第２継手部が設けられていることを特徴としている。
【００１４】
請求項３に記載の発明は、請求項２に記載の発明において、上記フィルタエレメントは、円筒状に形成されたものであり、その軸方向の一端部を上記ケーシングの開口部に位置させ、その軸方向の他端部を同ケーシングの内方部に位置させた状態で、上記一端部が上記ケーシングの開口部に位置決め固定手段を介して固定されるようになっており、上記位置決め固定手段は、上記フィルタエレメントの一端部から半径方向の外側に突出する位地決め凸部と、上記フィルタエレメントを上記ケーシング内に挿入した状態で当該フィルタエレメントを軸回りに回動した際に、上記位地決め凸部を受け入れるべく上記ケーシングの開口部の内周に形成された位地決め溝とを備えていることを特徴としている。
【００１５】
上記のように構成された請求項１〜３に記載の発明においては、キャップの開口部とケーシングの開口部とを嵌合する際に、いずれか一方の開口部に設けた係止突起を、いずれか他方の開口部に設けた案内溝に合わせる。そして、例えばケーシングの開口部をキャップの開口部に向けて押圧移動させることにより、係止突起が案内溝内に挿入されるとともに、キャップの開口部とケーシングの開口部とが嵌合した状態になる。
【００１６】
そこで、例えばケーシングを軸回りに回動すると、係止突起が案内溝から係止溝に挿入されることになり、キャップおよびケーシングが軸方向に分離不能な状態になる。すなわち、キャップとケーシングとの嵌合状態が維持された状態になる。
【００１７】
このため、例えばキャップが所定の設備等に固定されたものであれば、ケーシングを持って、当該ケーシングをキャップに対して軸方向に移動したり、軸回りに回動したりする作業を行うだけで、キャップとケーシングとの連結および分離を容易に行うことができる。
また、ケーシングが所定の設備等に固定されている場合でも、同様にしてキャップとケーシングとの連結および分離を容易に行うことができる。
【００１８】
さらに、例えばキャップおよびケーシングのいずれもが自由状態にある場合には、キャップを一方の手で持ち、ケーシングを他方の手で持って、これらを互いに軸方向に移動したり、相対的に回動したりする操作を行うことにより、キャップとケーシングとの連結および分離を容易に行うことができる。
【００１９】
したがって、ケーシング内に設置されたフィルタエレメントを１人で容易に交換することができるので、作業能率の向上を図ることができるとともに、安全性の向上を図ることができる。
しかも、連結のためにボルトやナット等のねじ類を使用していないので、フィルタエレメントの交換に際して工具が不要になるとともに、トルク管理等の煩わしい作業も不要になる。したがって、フィルタエレメントの交換時間の短縮を図ることができる。
【００２０】
請求項２に記載の発明においては、フィルタエレメントがケーシングに位地決めされていることから、キャップの開口部とケーシングの開口部とを嵌合することによって、内部流路部材の第１継手部とフィルタエレメントの第２継手部とが嵌合された状態になる。
また、キャップとケーシングとを分離することによって、内部流路部材の第１継手部とフィルタエレメントの第２継手部とも分離された状態になる。
【００２１】
したがって、従来必要としたフィルタエレメントと内部流路部材とを連結したり、分離したりする作業が不要になるので、作業能率の向上を図ることができる。
【００２２】
また、例えばフィルタエレメントがキャップ側に単独で固定されている場合には、キャップから突出するフィルタエレメントの長さ以上にケーシングをストロークさせなければ、当該ケーシングをキャップから完全に取り外すことができない。しかし、本発明では、ケーシングをキャップから分離することによって、フィルタエレメントも同時にキャップ側から分離することができるので、フィルタエレメントの交換のために上述したストロークが必要ない。したがって、狭い空間に設置した場合でも、フィルタエレメントを容易に交換することができる。
【００２３】
さらに、フィルタエレメントがケーシングに位置決めされて固定された状態になることから、キャップとケーシングとを連結することによって第１継手部と第２継手部とも強固に連結された状態になる。したがって、第１継手部と第２継手部との連結部から流体が漏れるといった不具合を確実に防止することができるので、フィルタによる濾過の信頼性の向上を図ることができる。
【００２４】
請求項３に記載の発明においては、ケーシング内にフィルタエレメントを挿入した後、当該フィルタエレメントを軸回りに回動することにより、フィルタエレメントがキャップに対して軸方向に移動不能な状態になる。すなわち、フィルタエレメントがケーシング内に位地決めされて固定された状態になる。
したがって、フィルタエレメントをケーシングに容易に位置決めして固定することができる。
【００２５】
【発明の実施の形態】
以下、本発明の実施の形態を図１〜図７を参照して説明する。ただし、従来例で示した構成要素と共通する要素には同一の符号を付し、その説明を簡略化する。
【００２６】
この実施の形態で示すフィルタ装置は、図１〜図７に示すように、容器状のキャップ１の円筒状に形成された開口部１ｂの内周面に、同じく容器状のケーシング２の開口部２ｂの外周面を嵌合させるようになっている。
すなわち、キャップ１は円筒状に形成された周壁部の一方の端部が上述した開口部１ｂになっており、他方の端部が曲面状に膨出する端壁部１ｃによって閉塞されている。
また、ケーシング２は、円筒状に形成された周壁部の一方の端部が上述した開口部２ｂになっており、他方の端部が曲面状に膨出する端壁部２ｃによって閉塞されている。
【００２７】
ケーシング２の開口部２ｂには、その外周面から円柱状に突出する係止突起２ｄが周方向に３等分する位置に形成されている。
一方、キャップ１の開口部１ｂには、図６および図７に示すように、開口部１ｂからケーシング２の開口部２ｂの外周面に沿うように軸方向に突出する突出片１ｄが周方向に３等分する位置に形成されている。そして、各突出片１ｄには、当該突出片１ｄの先端からキャップ１の軸方向に延びる案内溝１ｅと、この案内溝１ｅの最深部から周方向に延在する係止溝１ｆとからなるＬ字状の溝が形成されている。
【００２８】
案内溝１ｅは、上述したキャップ１の開口部１ｂとケーシング２の開口部２ｂとが嵌合を開始してから完全に嵌合した状態、すなわち嵌合状態になるまで、上記係止突起２ｄを軸方向に案内しながら受け入れるように形成されている。
また、係止溝１ｆは、上記嵌合状態においてキャップ１およびケーシング２の少なくとも一方（この実施の形態の場合はケーシング２）を周方向に回動することにより各係止突起２ｄを受け入れて、キャップ１およびケーシング２の軸方向の分離を不能にして上記嵌合状態を維持するように形成されている。そして、係止溝１ｆには、キャップ１とケーシング２とを互いに軸方向に引き離す方向に移動した際に、係止突起２ｄが係止して、当該係止突起２ｄが案内溝１ｅ側に移動するのを防止する係止凹部１ｇが形成されている。
【００２９】
フィルタエレメント３は、図１〜図３に示すように、一端部の軸心部に設けられた第１シール部材３２と、他端部の軸心部に設けられた第２シール部材３３と、これらの第１および第２のシール部材３２、３４を連結するロッド３４とを備えている。
【００３０】
第１シール部材３２は、第２継手部３１と一体に形成されたものであり、フィルタエレメント３の一端面において、当該フィルタエレメント３の内周側（他方の側）とその外周側（一方の側）である流入流路との間をシールして遮断するようになっているとともに、フィルタエレメント３の内周側と第２継手部３１とを連通状態にするようになっている。
【００３１】
第２シール部材３３は、フィルタエレメント３の他端面において、当該フィルタエレメント３の内周側と外周側である流入流路との間をシールして遮断するようになっている。
【００３２】
ロッド３４は、その両端部に形成された雄ねじ部３４ａ、３４ｂを介して、第１シール部材３２および第２シール部材３３を連結するとともに互いに引き寄せることによって、これらの第１シール部材３２および第２シール部材３３をそれぞれフィルタエレメント３の一端面および他端面に密着させるようになっており、これによって上述したシールを行うようになっている。なお、第２シール部材３３のナット部３３ａをロッド３４に対して回転させてねじ込むことにより、第１シール部材３２および第２シール部材３３をフィルタエレメント３の各端面に所望の力で密着させるようになっている。
【００３３】
また、フィルタエレメント３は、その一端部がケーシング２の開口部２ｂに位置決め固定手段７によって固定されるようになっている。
位置決め固定手段７は、図３〜図５に示すように、位地決め突出片（位地決め凸部）３２ａと、位地決め案内溝２ｅおよび位地決め係止溝（位地決め溝）２ｆからなるＬ字状の溝とを備えたもので構成されている。
【００３４】
位地決め突出片３２ａは、第１シール部材３２に一体に形成されたものであり、フィルタエレメント３の外周位置から半径方向の外側に突出すべく形成されている。また、この位地決め突出片３２ａは、第１シール部材３２の外周縁における周方向に１８０度離れた位置に形成されている。
【００３５】
位地決め案内溝２ｅは、フィルタエレメント３をケーシング２内に挿入した際に、上記位地決め突出片３２ａの先端部を軸方向に案内すべく受け入れるとともに、最奥端２ｊ（図４（ｂ））で当該位地決め突出片３２ａを保持すべく、ケーシング２の開口部２ｂの内周に形成されている。すなわち、位地決め案内溝２ｅは、ケーシング２の開口部２ｂにおける周方向に１８０度離れた２箇所の位置にあって、その開口端から軸方向に延在するように形成されている。
【００３６】
位地決め係止溝２ｆは、各位地決め突出片３２ａが各位地決め案内溝２ｅの最奥端２ｊで保持された状態において、位地決め突出片３２ａを軸回りに回動した際に、当該位地決め突出片３２ａを受け入れるべくケーシング２の開口部２ｂの内周に形成されている。すなわち、位地決め係止溝２ｆは、位地決め案内溝２ｅの最奥端２ｊから周方向に延在するように形成されている。
【００３７】
また、ケーシング２の開口部２ｂの外周部には、図６および図７に示すように、係止突起２ｄより先端側の位置に、キャップ１の開口部１ｂの内周面とのシールを図るＯリング２ｇが設けられており、第２継手部３１の外周部には、第１継手部４１の内周面とのシールを図るＯリング３１ａが設けられている。
さらに、図１において、１ｈはエアベントであり、２ｈはドレン口、Ｐはプラグである。
【００３８】
上記のように構成されたフィルタ装置においては、キャップ１の開口部１ｂとケーシング２の開口部２ｂを嵌合する際にはケーシング２に設けた係止突起２ｄをキャップ１に設けた案内溝１ｅに合わせてから、ケーシング２をキャップ１に向けて押圧移動する。これにより、係止突起２ｄが案内溝１ｅ内に挿入されるとともに、キャップ１の開口部１ｂとケーシング２の開口部２ｂとが完全に嵌合した状態（嵌合状態）になる。
【００３９】
そこで、例えばケーシング２を軸回りに回動すると、係止突起２ｄが案内溝１ｅから係止溝１ｆに挿入されることになり、キャップ１およびケーシング２が軸方向に分離不能な状態になる。すなわち、キャップ１とケーシング２との嵌合状態が維持された状態になる。
【００４０】
このため、例えばキャップ１が所定の設備等に固定されたものであれば、ケーシング２を持って、当該ケーシング２をキャップ１に対して軸方向に移動したり、軸回りに回動したりする作業を行うだけで、キャップ１とケーシング２と連結および分離を容易に行うことができる。
また、ケーシング２が所定の設備等に固定されている場合でも、キャップ１を軸方向に移動したり、軸回りに回動したりすることにより、これらのキャップ１とケーシング２との連結および分離を容易に行うことができる。
【００４１】
さらに、キャップ１およびケーシング２のいずれもが設備等に固定されておらず自由状態にある場合には、キャップ１を一方の手で持ち、ケーシング２を他方の手で持って、これらを互いに軸方向に移動したり、軸回りに回動したりすることにより、キャップ１とケーシング２との連結および分離を容易に行うことができる。
【００４２】
したがって、ケーシング２内に設置されたフィルタエレメント３を１人で容易に交換することができるので、作業能率の向上を図ることができるとともに、安全性の向上を図ることができる。
しかも、連結のためにボルトやナット等のねじ類を使用していないので、フィルタエレメント３の交換に際して工具が不要になるとともに、トルク管理等の煩わしい作業も不要になる。したがって、ファンコイルユニット１の交換時間の短縮を図ることができる。
【００４３】
なお、本実施の形態で示したフィルタ装置の場合には、主として、キャップ１を上にし、ケーシング２を下に向けた状態で使用されることになる。そして、この場合、キャップ１が種々の設備等に固定されることになる。
【００４４】
また、フィルタエレメント３がケーシング２に位地決め固定されていることから、キャップ１の開口部１ｂとケーシング２の開口部２ｂとを嵌合するだけで、内部流路管４の第１継手部４１とフィルタエレメント３の第２継手部３１とが互いに位地決めされるとともに嵌合された状態になる。
また、キャップ１とケーシング２とを分離することによって、内部流路管４の第１継手部４１とフィルタエレメント３の第２継手部３１とを分離することができる。
【００４５】
したがって、従来必要としたフィルタエレメント３と内部流路管４とを連結したり、分離したるする作業が不要になるので、作業能率の向上を図ることができる。
【００４６】
また、例えばフィルタエレメント３がキャップ１の内部流路管４に単独で固定されている場合には、キャップ１から突出するフィルタエレメント３の長さ以上にケーシング２をストロークさせなければ、当該ケーシング２をキャップ１から完全に取り外すことができない。しかし、本実施の形態では、ケーシング２をキャップ１から分離することによって、フィルタエレメント３も同時に内部流路管４から分離することができるので、フィルタエレメント３の交換のために上述したストロークが必要ない。したがって、フィルタ装置を狭い空間に設置した場合でも、フィルタエレメント３を容易に交換することができる。
【００４７】
さらに、フィルタエレメント３がケーシング２に位置決めされて固定された状態になることから、キャップ１とケーシング２とを連結することによって第１継手部４１と第２継手部３１とも強固に連結された状態になる。したがって、第１継手部４１と第２継手部３１との嵌合部から流体が漏れるといった不具合を確実に防止することができるので、フィルタによる濾過の信頼性の向上を図ることができる。
【００４８】
また、フィルタエレメント３はケーシング２内に挿入した後、当該フィルタエレメントを軸回りに回動することにより、位地決め突出片３２ａを位地決め案内溝２ｅから位地決め係止溝２ｆに挿入することができる。
したがって、フィルタエレメント３をケーシング２に容易に位置決めして固定することができる。
【００４９】
さらに、ケーシング２内の底部には従来例で示したスプリング等を設ける必要がなく、端壁部２ｃとフィルタエレメント３との間に十分広い空間を確保することができるので、フィルタエレメント３によって濾過したスラッジ等の不純物を上記空間に有効に溜めることができるとともに、ドレン口２ｈから効率よく排出することができる。
【００５０】
なお、上記実施の形態においては、突出片１ｄ、案内溝１ｅおよび係止溝１ｆをキャップ１に設け、係止突起２ｄをケーシング２に設けるように構成したが、突出片１ｄ、案内溝１ｅおよび係止溝１ｆをケーシング２に設け、係止突起２ｄをキャップ１に設けるように構成してもよい。
【００５１】
【発明の効果】
以上説明したように、請求項１〜３に記載の発明によれば、例えばキャップが所定の設備等に固定されたものであれば、ケーシングをキャップに対して軸方向に移動したり、軸回りに回動したりする作業を行うだけで、キャップとケーシングとの連結および分離を容易に行うことができる。
また、ケーシングが所定の設備等に固定されている場合でも、キャップを同様にして移動、回動することにより、キャップとケーシングとの連結および分離を容易に行うことができる。
【００５２】
さらに、例えばキャップおよびケーシングのいずれもが自由状態にある場合には、キャップを一方の手で持ち、ケーシングを他方の手で持って、これらを互いに軸方向に移動したり、相対的に回動したりする操作を行うことにより、キャップとケーシングとの連結および分離を容易に行うことができる。
【００５３】
したがって、ケーシング内に設置されたフィルタエレメントを１人で容易に交換することができるので、作業能率の向上を図ることができるとともに、安全性の向上を図ることができる。
しかも、連結のためにボルトやナット等のねじ類を使用していないので、フィルタエレメントの交換に際して工具が不要になるとともに、トルク管理等の煩わしい作業も不要になる。したがって、フィルタエレメントの交換時間の短縮を図ることができる。
【００５４】
請求項２に記載の発明によれば、従来必要としたフィルタエレメントと内部流路部材とを連結したり、分離したりする作業が不要になるので、作業能率の向上を図ることができる。
【００５５】
また、ケーシングをキャップから分離することによって、フィルタエレメントも同時にキャップ側から分離することができるので、フィルタエレメントの交換のために必要となるケーシングの軸方向の移動量を小さく抑えることができる。したがって、狭い空間に設置した場合でも、フィルタエレメントを容易に交換することができる。
【００５６】
さらに、フィルタエレメントがケーシングに位置決めされて固定された状態になることから、キャップとケーシングとを連結することによって第１継手部と第２継手部とも強固に連結された状態になる。したがって、第１継手部と第２継手部との連結部から流体が漏れるといった不具合を確実に防止することができるので、フィルタによる濾過の信頼性の向上を図ることができる。
【００５７】
請求項３に記載の発明によれば、ケーシング内にフィルタエレメントを挿入した後、当該フィルタエレメントを軸回りに回動することにより、フィルタエレメントがキャップに対して軸方向に移動不能な状態になる。すなわち、フィルタエレメントがケーシング内に位地決めされて固定された状態になる。
したがって、フィルタエレメントをケーシングに容易に位置決めして固定することができる。
【図面の簡単な説明】
【図１】この発明の一実施の形態として示したフィルタ装置の断面図である。
【図２】同フィルタ装置のフィルタエレメントを示す分解断面図である。
【図３】同フィルタ装置のフィルタエレメントを示す平面図である。
【図４】同フィルタ装置のケーシングを示す図であって、（ａ）は平面図、（ｂ）は（ａ）におけるＢ矢視図である。
【図５】同フィルタ装置の位置決め固定手段の作用を示す平面図である。
【図６】同フィルタ装置のキャップとケーシングとを示す要部断面図である。
【図７】同フィルタ装置のキャップとケーシングとを示す要部正面図である。
【図８】従来例として示したフィルタ装置の断面図である。
【図９】同フィルタ装置の要部断面図である。
【図１０】同フィルタ装置の平面図である。
【符号の説明】
１　キャップ
１ｂ　開口部
１ｅ　案内溝
１ｆ　係止溝
２　ケーシング
２ｂ開口部
２ｄ　係止突起
２ｆ　位地決め係止溝（位地決め溝）２ｆ
３　フィルタエレメント
４　内部流路管（内部流路部材）
７　位置決め固定手段
３１　第２継手部
３２ａ　位地決め突出片（位地決め凸部）
４１　第１継手部
【図１】
2004066194.tif 000003
【図２】
2004066194.tif 000004
【図３】
2004066194.tif 000005
【図４】
2004066194.tif 000006
【図５】
2004066194.tif 000007
【図６】
2004066194.tif 000008
【図７】
2004066194.tif 000009
【図８】
2004066194.tif 000010
【図９】
2004066194.tif 000011
【図１０】
2004066194.tif 000012